(57)【要約】【課題】  赤目緩和効果が十分に得られた撮影を可能とすることを課題とする。【解決手段】  投光手段による投光により被写体画像を読み取った信号に基づいて赤目の量を撮像装置の検出手段により検出し、その検出結果に応じて投光手段による投光を制御する。【選択図】  図３
2005039544.tif 000002
【特許請求の範囲】
【請求項１】
被写体に向けて投光する投光手段と、光の入力に応じて信号を出力する撮像手段と、前記撮像手段からの信号を記憶する記憶手段とを有する撮像装置に使用可能な制御装置であって、
前記投光手段による投光により被写体画像を読み取った信号に基づいて赤目の量を検出する検出手段と、
前記検出結果に応じて前記投光手段による投光を制御する制御手段と
を有する制御装置。
【請求項２】
前記制御手段は、前記検出手段による赤目の量が第１の量に達している場合にはレリーズを禁止し、前記第１の量に達していない場合にはレリーズを許可することを特徴とする制御手段。
【請求項３】
被写体に向けて投光する投光手段と、
光の入力に応じて信号を出力する撮像手段と、
前記撮像手段からの信号を記憶する記憶手段と、
前記投光手段による投光により被写体画像を読み取った信号に基づいて赤目の量を検出する検出手段と、
前記検出結果に応じて前記投光手段による投光を制御する制御手段と
を有する撮像装置。
【請求項４】
被写体に向けて投光する投光手段と、光の入力に応じて信号を出力する撮像手段と、前記撮像手段からの信号を記憶する記憶手段とを有する撮像装置をその制御手段を介して制御するためのプログラムであって、
前記投光手段による投光により被写体画像を読み取った信号に基づいて赤目の量を前記撮像装置の検出手段により検出する検出ステップと、
前記検出結果に応じて前記投光手段による投光を制御する制御ステップと
を有するプログラム。
【請求項５】
被写体に向けて投光する投光手段と、光の入力に応じて信号を出力する撮像手段と、前記撮像手段からの信号を記憶する記憶手段と、前記記憶されている信号に基づいて画像を表示する表示手段とを有する撮像装置に使用可能な制御装置であって、
前記投光手段による投光により被写体画像を読み取った信号に基づいて赤目位置を検出する検出手段と、
前記検出手段により検出された赤目位置に応じて所定領域の画像を前記表示手段により拡大表示するよう制御する制御手段と
を有する制御装置。
【請求項６】
被写体に向けて投光する投光手段と、
光の入力に応じて信号を出力する撮像手段と、
前記撮像手段からの信号を記憶する記憶手段と、
前記記憶されている信号に基づいて画像を表示する表示手段と、
前記投光手段による投光により被写体画像を読み取った信号に基づいて赤目位置を検出する検出手段と、
前記検出手段により検出された赤目位置に応じて所定領域の画像を前記表示手段により拡大表示するよう制御する制御手段と
を有する撮像装置。
【請求項７】
被写体に向けて投光する投光手段と、光の入力に応じて信号を出力する撮像手段と、前記撮像手段からの信号を記憶する記憶手段と、前記記憶されている信号に基づいて画像を表示する表示手段とを有する撮像装置をその制御手段を介して制御するためのプログラムであって、
前記投光手段による投光により被写体画像を読み取った信号に基づいて赤目位置を検出手段により検出する検出ステップと、
前記検出ステップにおいて検出された赤目位置に応じて所定領域の画像を前記表示手段により拡大表示するよう制御する制御ステップと
を有するプログラム。
【請求項８】
前記制御手段は、赤目量がレリーズを許可する所定量以下で、第２の所定量以上の場合、赤目補正を行うよう制御することを特徴とする請求項２に記載の制御装置。
【請求項９】
前記請求項１、２の電子スチルカメラの投光手段は、赤目量に応じて経時的に明るさを変化させることを特徴とする。
【発明の詳細な説明】
【技術分野】
【０００１】
本発明は、撮像装置を使用したときに発生する赤目現象の緩和の制御、プログラムに関する。
【背景技術】
【０００２】
従来ストロボを使用した撮影時に発生する赤目緩和は、赤目現象の要因となる瞳孔の開きを縮小させるように、赤目緩和手段である所の赤目緩和ランプを予め定められた所定時間において点灯させていた。
【０００３】
また、赤目緩和手段がストロボによるものでは、予め定められた所定回数の発光を行うことにより瞳孔の開きを縮小させ赤目現象の緩和を行っていた。
【０００４】
また電子スチルカメラに於いては、赤目現象が発生している画像に対して、赤目の発生している所に対して、予め定められた所定の画像補正を行うことにより赤目現象の改善を行っていた。
【特許文献１】特開平５−０１９３４３０５（段落００３５、図５）
【特許文献２】特開特開２００２−２７１８０８（図１７）
【発明の開示】
【発明が解決しようとする課題】
【０００５】
このような従来の赤目緩和手段を持つ電子カメラに於いては、赤目緩和手段の赤目緩和ラ１ンプでは予め定められた所定時間の後、またストロボによる赤目緩和手段では、予め定められた所定回数の発光後、赤目緩和効果が得られているものとして、撮影を許可していた。しかしながら赤目緩和効果得られているか否か撮影されるまで判らなかった。
【０００６】
また、他の従来例では、赤目現象が発生している画像図１１（ａ）に対して、赤目の発生している所に対して、所定の画像補正を行うことにより赤目現象の改善を行っているが、図１１（ｄ）に示すように、補正部分が大きく不自然な目の画像になっていた。
【課題を解決するための手段】
【０００７】
そこで、上記課題を解決するために、本発明に係る制御装置、撮像装置、及びその制御をするためのプログラムは、被写体に向けて投光するし、光の入力に応じて信号を出力し、前記信号を記憶し、前記投光により被写体画像を読み取った信号に基づいて赤目の量を検出し、その検出結果に応じて前記投光手段による投光を制御する。
【０００８】
また、本発明に係る制御装置、撮像装置、及びその制御をするためのプログラムは、被写体に向けて投光し、光の入力に応じて信号を出力し、前記信号を記憶し、前記記憶されている信号に基づいて画像を表示し、前記投光により被写体画像を読み取った信号に基づいて赤目位置を検出し、その検出された赤目位置に応じて所定領域の画像を前記表示手段により拡大表示するよう制御する。
【発明の効果】
【０００９】
赤目緩和効果が十分に得られた撮影を可能とすることができるという従来にない画期的な効果を有する。
【発明を実施するための最良の形態】
【００１０】
本実施の形態では、赤目検出手段を用いる場合と前画像表示メモリを用いる場合とに分けて説明する。
【００１１】
（赤目検出手段を用いる場合）
（構成について）
以下、図面を参照して本発明の実施の形態を説明する。図１は、本発明の実施の形態構成を示す図である。
【００１２】
図１は、本発明を適用したカメラ１００の構成を説明入する図である。
【００１３】
１０は撮影レンズ、１２は絞り機能を備えるシャッター、１４は入射される光に応じて信号を出力する撮像手段としての撮像素子、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１５】
２０は画像処理回路であり、Ａ／Ｄ変換器１６からの信号或いはメモリ制御回路２２からの信号に対して所定の画素補間処理や色変換処理を行う。また、画像処理回路２０においては、撮像した画像信号を用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１６】
さらに、画像処理回路２０においては、撮像した画像信号を用いて所定の演算処理を行い、得られた演算結果に基づいてＴＴＬ方式のＡＷＢ（オートホワイトバランス）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６の信号が画像処理回路２０、メモリ制御回路２２を介して、或いはＡ／Ｄ変換器１６の信号が直接メモリ制御回路２２を介して、画像表示メモリ２４或いはメモリ３０に書き込まれる。
【００１９】
２４は画像表示メモリ、２６はＤ／Ａ変換器、２８は画像表示部であり、画像表示メモリ２４に書き込まれた表示用の画像信号はＤ／Ａ変換器２６を介して画像表示部２８により表示される。
【００２０】
画像表示部２８を用いて撮像した画像信号を逐次表示すれば、電子ファインダ機能を実現することが可能である。
【００２１】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２２】
２５は赤目検出手段としての赤目検出器で、画像表示メモリ２４に記憶している画像信号をもとに輪郭や間隔や色を含めた要素をもとに目、鼻、口等の物体認識手段を含み、特定された目の位置情報をもとに、画像信号の色情報より画像中の赤目の有無、及びその程度を検出する。
【００２３】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
【００２４】
また、メモリ３０はシステム制御回路５０の作業領域としても使用することが可能である。
【００２５】
３２は適応離散コサイン変換（ＡＤＣＴ）等により画像信号を圧縮伸長する圧縮・伸長回路であり、メモリ３０に格納された画像を読み込んで圧縮処理或いは伸長処理を行い、処理を終えた信号をメモリ３０に書き込む。
【００２６】
４０は絞り機能を備えるシャッター１２を制御する露光制御手段であり、フラッシュ４８と連携することによりフラッシュ調光機能も有するものである。
【００２７】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２８】
４８はフラッシュであり、ＡＦ補助光の投光機能、フラッシュ調光機能も有する。
【００２９】
露光制御手段４０、測距制御手段４２はＴＴＬ方式を用いて制御されており、撮像した画像信号を画像処理回路２０によって演算した演算結果に基づき、システム制御回路５０が露光制御手段４０、測距制御手段４２に対して制御を行う。
【００３０】
４９はＬＥＤ或いは、ランプの投光装置で、被写体輝度が所定の明るさより暗い場合に投光を行う。この投光装置は、撮影レンズ１０に対してフラッシュ４８より近い或いは同じ距離に位置し、投光することにより瞳孔を絞り赤目を緩和するとともに、画像に赤目現象が発生するように構成されている。
【００３１】
５０は画像処理装置１００全体を制御するシステム制御回路、５２はシステム制御回路５０の動作用の定数、変数、プログラム等を記憶するメモリである。
【００３２】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３３】
また、表示部５４は、その一部の機能が光学ファインダ１０４内に設置されている。
【００３４】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３５】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３６】
５６は電気的に消去・記録可能な不揮発性メモリであり、例えばＥＥＰＲＯＭ等が用いられる。
【００３７】
６０、６２、６４、６５、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３８】
（操作について）
ここで、これらの操作手段の具体的な説明を行う。
【００３９】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４０】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４１】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像信号を書き込む露光処理、画像処理回路２０やメモリ制御回路２２での演算を用いた現像処理、メモリ３０から画像信号を読み出し、圧縮・伸長回路３２で圧縮を行い、記録媒体２００或いは２１０に画像信号を書き込む記録処理という一連の処理の動作開始を指示する。
【００４２】
６５はストロボモードＳＷで、強制発光モード／オートモード発光／赤目緩和オートモード発光／発光オフ等のストロボ発光モードを設定する。
【００４３】
６６は画像表示ＯＮ／ＯＦＦスイッチで、画像表示部２８のＯＮ／ＯＦＦを設定することが出来る。
【００４４】
この機能により、光学ファインダ１０４を用いて撮影を行う際に、画像表示部への電流供給を遮断することにより、省電力を図ることが可能となる。
【００４５】
６８はクイックレビューＯＮ／ＯＦＦスイッチで、撮影直後に撮影した画像信号を自動再生するクイックレビュー機能を設定する。なお、本実施例では特に、画像表示部２８をＯＦＦとした場合におけるクイックレビュー機能の設定をする機能を備えるものとする。
【００４６】
７０は各種ボタンやタッチパネル等からなる操作部で、メニューボタン、セットボタン、マクロボタン、マルチ画面再生改ページボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、赤目緩和時の表示拡大設定を行う拡大ボタン、日付／時間設定ボタン等がある。
【００４７】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４８】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４９】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５０】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５１】
インターフェース及びコネクタとしては、ＰＣＭＣＩＡカードやＣＦ（コンパクトフラッシュ（Ｒ））カード等の規格に準拠したものを用いて構成して構わない。
【００５２】
さらに、インターフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像信号や画像信号に付属した管理情報を転送し合うことが出来る。
【００５３】
１０２は、画像処理装置１００のレンズ１０を含む撮像部を覆う事により、撮像部の汚れや破損を防止するバリアである保護手段である。
【００５４】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００５５】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５６】
１１２は通信手段１１０により画像処理装置１００を他の機器と接続するコネクタ或いは無線通信の場合はアンテナである。
【００５７】
２００はメモリカードやハードディスク等の記録媒体である。
【００５８】
記録媒体２００は、半導体メモリや磁気ディスク等から構成される記録部２０２、画像処理装置１００とのインターフェース２０４、画像処理装置１００と接続を行うコネクタ２０６を備えている。
【００５９】
２１０はメモリカードやハードディスク等の記録媒体である。
【００６０】
記録媒体２１０は、半導体メモリや磁気ディスク等から構成される記録部２１２、画像処理装置１００とのインターフェース２１４、画像処理装置１００と接続を行うコネクタ２１６を備えている。
【００６１】
図１０はカメラの外観を示し、図１０（Ａ）はカメラの正面より見た図で、３０１はカメラ本体、３０２は光学式ファインダ、３０３は撮影レンズを含むのズーム及びレンズピントを合わせる鏡筒、３０４はランプ或いは、ＬＥＤ等を投光することにより赤目位置の検出及び赤目の緩和を行う、赤目投光器、３０５はフラッシュの発光部である。
【００６２】
図１０（Ｂ）、（Ｃ）はカメラの後面より見た図で、３０６は前述の画像表示ＯＮ／ＯＦＦスイッチ６６をＯＮ／ＯＦＦする画像表示ボタン、３０７前述のクイックビューＯＮ／ＯＦＦスイッチ６８をＯＮ／ＯＦＦするクイックビューボタン、３０８は前述のモードダイアルスイッチ６０の設定を行うモードダイアルである。３０９は前述の画像表示部２８で有る所の外部ＬＣＤ、３１０はストロボモードＳＷ６５をＯＮ／ＯＦＦするストロボモードボタンである。
【００６３】
（動作について）
図２乃至図６を参照して、動作を説明する。
【００６４】
図２及び図３は本実施例の画像処理装置１００の主ルーチンのフローチャートを示す。
【００６５】
図２及び図３を用いて、画像処理装置１００の動作を説明する。
【００６６】
電池交換等の電源投入により、システム制御回路５０はフラグや制御変数等を初期化し（ステップＳ１０１）、画像表示部２８の画像表示をＯＦＦ状態に初期設定する（ステップＳ１０２）。
【００６７】
システム制御回路５０は、モードダイアル６０の設定位置を判断し、モードダイアル６０が電源ＯＦＦに設定されていたならば（ステップＳ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（ステップＳ１０５）、ステップＳ１０３に戻る。
【００６８】
モードダイアル６０が撮影モードに設定されていたならば（ステップＳ１０３）、ステップＳ１０６に進む。
【００６９】
モードダイアル６０がその他のモードに設定されていたならば（ステップＳ１０３）、システム制御回路５０は選択されたモードに応じた処理を実行し（ステップＳ１０４）、処理を終えたならばステップＳ１０３に戻る。
【００７０】
システム制御回路５０は、電源制御手段８０により電池等により構成される電源８６の残容量や動作情況が画像処理装置１００の動作に問題があるか否かを判断し（ステップＳ１０６）、問題があるならば表示部５４を用いて画像や音声により所定の警告表示を行った後に（ステップＳ１０８）、ステップＳ１０３に戻る。
【００７１】
電源８６に問題が無いならば（ステップＳ１０６）、システム制御回路５０は記録媒体２００或いは２１０の動作状態が画像処理装置１００の動作、特に記録媒体に対する画像信号の記録再生動作に問題があるか否かを判断し（ステップＳ１０７）、問題があるならば表示部５４を用いて画像や音声により所定の警告表示を行った後に（ステップＳ１０８）、ステップＳ１０３に戻る。
【００７２】
記録媒体２００或いは２１０の動作状態に問題が無いならば（ステップＳ１０７）、表示部５４を用いて画像や音声により画像処理装置１００の各種設定状態の表示を行う（ステップＳ１０９）。なお、画像表示部２８の画像表示がＯＮであったならば、画像表示部２８も用いて画像や音声により画像処理装置１００の各種設定状態の表示を行う。
【００７３】
システム制御回路５０は、クイックレビューＯＮ／ＯＦＦスイッチ６８の設定状態を調べ（ステップＳ１１０）、クイックレビューＯＮに設定されていたならばクイックレビューフラグを設定し、（ステップＳ１１１）、クイックレビューＯＦＦに設定されていたならばクイックレビューフラグを解除する（ステップＳ１１２）。
【００７４】
なお、クイックレビューフラグの状態は、システム制御回路５０の内部メモリ或いはメモリ５２に記憶する。
【００７５】
続いて、システム制御回路５０は、画像表示ＯＮ／ＯＦＦスイッチ６６の設定状態を調べ（ステップＳ１１３）、画像表示ＯＮに設定されていたならば、画像表示フラグを設定すると共に（ステップＳ１１４）、画像表示部２８の画像表示をＯＮ状態に設定し（ステップＳ１１５）、さらに撮像した画像信号を逐次表示するスルー表示状態に設定して（ステップＳ１１６）、ステップＳ１１９に進む。
【００７６】
スルー表示状態に於いては、撮像素子１２、Ａ／Ｄ変換器１６、画像処理回路２０、メモリ制御回路２２を介して、画像表示メモリ２４に逐次書き込まれた信号を、メモリ制御回路２２、Ｄ／Ａ変換器２６を介して画像表示部２８により逐次表示することにより、電子ファインダ機能を実現している。
【００７７】
画像表示ＯＮ／ＯＦＦスイッチ６６が画像表示ＯＦＦに設定されていたならば（ステップＳ１１３）、画像表示フラグを解除すると共に（ステップＳ１１７）、画像表示部２８の画像表示をＯＦＦ状態に設定して（ステップＳ１１８）、ステップＳ１１９に進む。
【００７８】
画像表示ＯＦＦの場合は、画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。
【００７９】
なお、画像表示フラグの状態は、システム制御回路５０の内部メモリ或いはメモリ５２に記憶する。
【００８０】
シャッタースイッチＳＷ１が押されていないならば（ステップＳ１１９）、ステップＳ１０３に戻る。
【００８１】
シャッタースイッチＳＷ１が押されたならば（ステップＳ１１９）、システム制御回路５０はシステム制御回路５０の内部メモリ或いはメモリ５２に記憶される画像表示フラグの状態を判断し（ステップＳ１２０）、画像表示フラグが設定されていたならば画像表示部２８の表示状態をフリーズ表示状態に設定して（ステップＳ１２１）、ステップＳ１２２に進む。
【００８２】
フリーズ表示状態に於いては、撮像素子１２、Ａ／Ｄ変換器１６、画像処理回路２０、メモリ制御回路２２を介した画像表示メモリ２４の画像信号書き換えを禁止し、最後に書き込まれた画像信号を、メモリ制御回路２２、Ｄ／Ａ変換器２６を介して画像表示部２８により表示することにより、フリーズした映像を電子ファインダに表示している。
【００８３】
画像表示フラグが解除されていたならば（ステップＳ１２０）、ステップＳ１２２に進む。
【００８４】
システム制御回路５０は、測距処理を行って撮影レンズ１０の焦点を被写体に合わせ、測光処理を行って絞り値及びシャッター時間を決定する（ステップＳ１２２）。測光処理に於いて、必要であればフラッシュの設定も行う。
【００８５】
この測距・測光処理ステップＳ１２２の詳細は図４を用いて後述する。
【００８６】
測光・測距処理が終えたならば、フラッシュモードの設定状態と上記測光の結果に応じて赤目処理（ステップＳ１２３）を行う。
【００８７】
この赤目処理はステップＳ１２３の詳細は図７を用いて詳しく後述する。
【００８８】
赤目処理ステップＳ１２３を終えたならば、システム制御回路５０はシステム制御回路５０の内部メモリ或いはメモリ５２に記憶される画像表示フラグの状態を判断し（ステップＳ１２４）、画像表示フラグが設定されていたならば画像表示部２８の表示状態をスルー表示状態に設定して（ステップＳ１２５）、ステップＳ１２６に進む。なお、ステップＳ１２５でのスルー表示状態は、ステップＳ１１６でのスルー状態と同じ動作状態である。
【００８９】
シャッタースイッチＳＷ２が押されずに（ステップＳ１２６）、さらにシャッタースイッチＳＷ１も解除されたならば（ステップＳ１２７）、ステップＳ１０３に戻る。
【００９０】
シャッタースイッチＳＷ２が押されたならば（ステップＳ１２６）、詳細を後述する前述の赤目処理（ステップＳ１２３）で撮影条件に応じて開始した、投光装置４９による投光を行っているか判断して（ステップＳ１２８）、投光を行っていたら投光を停止して（ステップＳ１２９）ステップＳ１３０に進む。また投光が行われていなかったらステップＳ１２８からステップＳ１３０に進む。
【００９１】
システム制御回路５０はシステム制御回路５０の内部メモリ或いはメモリ５２に記憶される画像表示フラグの状態を判断し（ステップＳ１３０）、画像表示フラグが設定されていたならば画像表示部２８の表示状態を固定色表示状態に設定して（ステップＳ１３１）、ステップＳ１３２に進む。
【００９２】
固定色表示状態に於いては、撮像素子１２、Ａ／Ｄ変換器１６、画像処理回路２０、メモリ制御回路２２を介して画像表示メモリ２４に書き込まれた撮影画像信号の代わりに、差し替えた固定色の画像信号を、メモリ制御回路２２、Ｄ／Ａ変換器２６を介して画像表示部２８により表示することにより、固定色の映像を電子ファインダに表示している。
【００９３】
画像表示フラグが解除されていたならば（ステップＳ１３０）、ステップＳ１３２に進む。
【００９４】
システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像信号を書き込む露光処理、及び、メモリ制御回路２２そして必要に応じて画像処理回路２０を用いて、メモリ３０に書き込まれた画像信号を読み出して各種処理を行う現像処理からなる撮影処理を実行する（ステップＳ１３２）。
【００９５】
この撮影処理ステップＳ１２９の詳細は図５を用いて後述する。
【００９６】
システム制御回路５０は、システム制御回路５０の内部メモリ或いはメモリ５２に記憶される画像表示フラグの状態を判断し（ステップＳ１３３）、画像表示フラグが設定されていたならばクイックレビュー表示を行う（ステップＳ１３６）。この場合は、撮影中も画像表示部２８が電子ファインダとして常に表示された状態であり、撮影直後のクイックレビュー表示も行われる。
【００９７】
画像表示フラグが解除されていたならば（ステップＳ１３３）、システム制御回路５０の内部メモリ或いはメモリ５２に記憶されるクイックレビューフラグの状態を判断し（ステップＳ１３５）、クイックレビューフラグが設定されていたならば、画像表示部２８の画像表示をＯＮ状態に設定し（ステップＳ１３５）、クイックレビュー表示を行う（ステップＳ１３６）。
【００９８】
このように、本発明によれば、省電力のために或いは光学ファインダ１０４を用いて撮影を行うので電子ファインダ機能が不要であるために、画像表示部２８の画像表示をＯＦＦに設定していても、クイックレビュースイッチによりクイックレビュー機能が設定されていれば、撮影を行った直後に自動的に撮影画像を画像表示部２８に再生することが可能となり、省電力かつ撮影画像の確認に便利な機能を提供することが可能となる。
【００９９】
画像表示フラグが解除され（ステップＳ１３３）、クイックレビューフラグも解除されていたならば（ステップＳ１３４）、画像表示部２８がＯＦＦの状態のままステップＳ１３７に進む。この場合は、撮影を行った後でも画像表示部２８は消えたままであり、クイックレビュー表示も行われない。これは、光学ファインダ１０４を用いて撮影を続ける場合のように、撮影直後の撮影画像の確認が不要で、画像表示部２８の電子ファインダ機能を使用せずに省電力を重視する使用方法である。
【０１００】
システム制御回路５０は、メモリ３０に書き込まれた撮影画像信号を読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像信号の書き込みを行う記録処理を実行する（ステップＳ１３７）。
【０１０１】
この記録処理ステップＳ１３７の詳細は図６を用いて後述する。
【０１０２】
記録処理ステップＳ１３７が終了した際に、シャッタースイッチＳＷ２が押された状態であったならば（ステップＳ１３８）、システム制御回路５０はシステム制御回路５０の内部メモリ或いはメモリ５２に記憶される連写フラグの状態を判断し（ステップＳ１３９）、連写フラグが設定されていたならば、連続して撮影を行うためにステップＳ１２９に戻り、次の撮影を行う。
【０１０３】
連写フラグが設定されていないならば（ステップＳ１３９）、シャッタースイッチＳＷ２が放されるまで（ステップＳ１３８）、現在の処理を繰り返す。
【０１０４】
記録処理ステップＳ１３７が終了した際にシャッタースイッチＳＷ２が放された状態であった、或いは、シャッタースイッチＳＷ２を押し続けてクイックレビュー表示を継続して撮影画像の確認を行った後にシャッタースイッチＳＷ２を放した状態であったならば（ステップＳ１３８）、所定のミニマムレビュー時間が経過した後にステップＳ１４１に進む（ステップＳ１４０）。
【０１０５】
システム制御回路５０は、画像表示フラグが設定されていたならば（ステップＳ１４１）、画像表示部２８の表示状態をスルー表示状態に設定して（ステップＳ１４２）、ステップＳ１４４に進む。
【０１０６】
この場合、画像表示部２８でのクイックレビュー表示によって撮影画像を確認した後に、次の撮影のために撮像した画像信号を逐次表示するスルー表示状態にすることが出来る。
【０１０７】
画像表示フラグが解除されていたならば（ステップＳ１４１）、画像表示部２８の画像表示をＯＦＦ状態に設定して（ステップＳ１４３）、ステップＳ１４４に進む。
【０１０８】
この場合、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【０１０９】
シャッタースイッチＳＷ１が押された状態であったならば（ステップＳ１４４）、システム制御回路５０は、ステップＳ１２６に戻って次の撮影に備える。シャッタースイッチＳＷ１が放された状態であったならば（ステップＳ１４４）、システム制御回路５０は、一連の撮影動作を終えてステップＳ１０３に戻る。
【０１１０】
（測距・測光処理フローについて）
図４は、図３のステップＳ１２２における測距・測光処理の詳細なフローチャートを示す。
【０１１１】
システム制御回路５０は、撮像素子１４から電荷信号を読み出し、Ａ／Ｄ変換器１６を介して画像処理回路２０に撮影画像信号を逐次読み込む（ステップＳ２０１）。この逐次読み込まれた画像信号を用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０１１２】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１１３】
画像処理回路２０での演算結果を用いて、システム制御回路５０は露出（ＡＥ）が適正と判断されるまで（ステップＳ２０２）、露光制御手段４０を用いてＡＥ制御を行う（ステップＳ２０３）。
【０１１４】
ＡＥ制御で得られた測定信号を用いて、システム制御回路５０はフラッシュが必要か否かを判断し（ステップＳ２０４）、フラッシュが必要ならばフラッシュ・フラグをセットし、フラッシュ４８を充電する（ステップＳ２０５）。
【０１１５】
露出（ＡＥ）が適正と判断したならば（ステップＳ２０２）、測定信号及び或いは設定パラメータをシステム制御回路５０の内部メモリ或いはメモリ５２に記憶する。
【０１１６】
画像処理回路２０での演算結果及びＡＥ制御で得られた測定信号を用いて、システム制御回路５０はホワイトバランス（ＡＷＢ）が適正と判断されるまで（ステップＳ２０６）、画像処理回路２０を用いて色処理のパラメータを調節してＡＷＢ制御を行う（ステップＳ２０７）。
【０１１７】
自動ホワイトバランス（ＡＷＢ）が適正と判断したならば（ステップＳ２０６）、測定信号及び或いは設定パラメータをシステム制御回路５０の内部メモリ或いはメモリ５２に記憶する。
【０１１８】
ＡＥ制御及びＡＷＢ制御で得られた測定信号を用いて、システム制御回路５０は測距（ＡＦ）が合焦と判断されるまで（ステップＳ２０８）、測距制御手段４２を用いてＡＦ制御を行う（ステップＳ２０９）。
【０１１９】
測距（ＡＦ）が合焦と判断したならば（ステップＳ２０８）、測定信号及び或いは設定パラメータをシステム制御回路５０の内部メモリ或いはメモリ５２に記憶し、測距・測光処理ルーチンＳ１２２を終了する。
【０１２０】
（赤目処理フローについて）
図７は、図３のステップＳ１２３における赤目処理の詳細なフローチャートを示す。
【０１２１】
システム制御回路５０はストロボモードスイッチ６５によるストロボの設定状態が赤目緩和モードか読み出す。（ステップＳ５０１）この読みだし結果が赤目モードでなかったら、赤目処理を終了し図３、ステップＳ１２４に進む。読み出し結果が、赤目緩和モードであったら図３のステップＳ１２２で行った測光結果をもとに赤目緩和が必要な所定輝度以下か否かの判定する（ステップＳ５０２）。
【０１２２】
ここで所定輝度以上だったら、図３のステップＳ１２４に進む。所定輝度以下だったら、投光装置４９による投光を開始する（ステップＳ５０３）。そして投光開始後画像取り込みを行い撮像素子１２、Ａ／Ｄ変換器１６、画像処理回路２０、メモリ制御回路２２を介して、画像表示メモリ２４に画像信号を書き込む（ステップＳ５０４）。この画像表示メモリ２４に記録した信号をもとに赤目検出器２５により画像中に赤目が有るか否かの検出を行う（ステップＳ５０５）。
【０１２３】
画像中に赤目が無かったら、図３のステップＳ１２４に進む。赤目を検出したら、画像取り込みステップＳ５０４に行った画像を画像表示５８にフリーズ表示する（ステップＳ５０６）。そして所定時間の計時を開始する（ステップＳ５０７）。所定時間の経過したか否か判定し（ステップＳ５０８）所定時間が経過したら、再び画像取り込みを行う（ステップＳ５０９）。画像表示メモリ２４に書き込む。そして、所定の画像表示を行う（ステップＳ５１０）。
【０１２４】
この画像表示ステップＳ５１０の詳細は図９を用いて後述する。画像表示ステップＳ５１０を行ったら赤目の大きさ（量）が第１の所定の大きさより小さくなっているか、画像表示メモリ２４の信号をもとに赤目検出器２５にて判定する（ステップＳ５１１）。
【０１２５】
ここでの赤目の量（赤目の程度）を判定する、第１の所定量は虹彩の１／２程度或いは、４ｍｍ程度で、前述の赤目検出器で、画像表示メモリ２４に記憶している画像信号をもとに輪郭や間隔や色を含めた要素をもとに目、鼻、口等の物体認識手段で目の位置を特定して、特定された目の位置情報をもとに、画像信号の色情報より画像中の赤目の有無及び赤目の量を検出する。
【０１２６】
ここで赤目の大きさ（量）が第１の所定の大きさより大きい場合は、画像取り込みステップＳ５０９を所定回数行ったか判定する。この所定回数は、赤目の緩和効果は、一般的に約１．２秒程度の時間があれば効果あるとされているので十分効果な効果が得られる時間、よってステップＳ６１４で設定されている時間を０．２秒程度として１０回程度である。２秒以内とする（ステップＳ５１４）。
【０１２７】
画像取り込み回数が所定回数となっていなかったらタイマー開始ステップＳ５０６に戻り、赤目の大きさ（量）が第１の所定の大きさより小さくなるまで前述のシーケンスを繰り返す。また画像取り込み回数が所定の回数となっていたら、赤目の画像補正を行うことを意味する、表示２を表示する（ステップＳ５１６）。この表示は、図１２に示す瞳マークを画像表示２８内に表示するもので、表示２ステップＳ５１６では、瞳マークを赤目画像補正有りとして黄色にして表示して、補正フラグ（ステップＳ５１７）を立て赤目シーケンスを終了する。
【０１２８】
また赤目の大きさ（量）が第１の所定の大きさより小さくなったら、赤目の大きさ（量）が第１の所定の大きさより小さい、第２の所定の大きさより小さくなっているか、画像表示メモリ２４の信号をもとに判定する（ステップＳ５１２）。ここでの第２の所定量を虹彩の１／４程度或いは、２ｍｍ程度である。ここで赤目の大きさ（量）が第２の所定の大きさより大きい場合は、ＳＷ２の状態の検出を行う（ステップＳ５１３）。
【０１２９】
ここでＳＷ２のＯＮが検出されたら、表示２（ステップＳ５１６）に進む。またＳＷ２がＯＦＦだったら。所定回数の画像取り込み判定ステップＳ５１４に進み、赤目の大きさ（量）が第２の所定の大きさより小さくなるまで前述のシーケンスを繰り返す。また赤目の大きさ（量）が第２の所定の大きさより小さい場合は、撮影しても撮影画像に赤目が発生しない大きさなので、表示１（ステップＳ５１５）で瞳マークを赤目画像補正無しとして緑色にして表示して赤目シーケンスを終了する。
【０１３０】
図１３は、図７のステップＳ５０６及びステップＳ５１０における画像表示の詳細な説明である。
【０１３１】
システム制御回路５０は操作部７０の拡大表示の設定状態を調べ（ステップＳ７０１）、拡大表示に設定されていたならば、拡大表示領域設定を行う（ステップＳ７０２）。この拡大表示領域は、前述の赤目検出手段より検出された赤目の発生部分である。拡大表示領域が設定されたら、設定された領域をフリーズ画像表示する（ステップＳ７０３）。また拡大表示の設定がされていなかった場合は、全体画像のフリーズ画像表示を行う（ステップＳ７０４）。
【０１３２】
このように、本発明によれば、投光装置４９による赤目緩和投光を行い、赤目検出手段２５により赤目緩和効果が得られたことを検出してレリーズを許可するようにする。
【０１３３】
また、赤目の状態を画像表示２８に表示することにより赤目の状態を確認しながら撮影を可能にした。このように赤目処理を行うことで、撮影された画像の赤目の不満を少なくすることが出来る。
【０１３４】
（撮影処理フローについて）
図５は、図３のステップＳ１３２における撮影処理の詳細なフローチャートを示す。
【０１３５】
システム制御回路５０は、システム制御回路５０の内部メモリ或いはメモリ５２に記憶される測光信号に従い、露光制御手段４０によって、絞り機能を有するシャッター１２を絞り値に応じて開放して撮像素子１０を露光する（ステップＳ３０１、ステップＳ３０２）。
【０１３６】
フラッシュ・フラグによりフラッシュ４８が必要か否かを判断し（ステップＳ３０３）、必要な場合はフラッシュを発光させる（ステップＳ３０４）。
【０１３７】
システム制御回路５０は、測光信号に従って撮像素子１２の露光終了を待ち（ステップＳ３０５）、シャッター１２を閉じて（ステップＳ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像の信号を書き込む（ステップＳ３０７）。
【０１３８】
設定された撮影モードに応じて、フレーム処理を行う必要があるならば（ステップＳ３０８）、システム制御回路５０は、メモリ制御回路２２そして必要に応じて画像処理回路２０を用いて、メモリ３０に書き込まれた画像信号を読み出して垂直加算処理や（ステップＳ３０９）、色処理（ステップＳ３１０）を順次行い前述の赤目処理で補正フラグステップＳ５１７の確認を行う。（ステップＳ３１１）赤目補正フラグが立っていなかったら、メモリ３０に処理を終えた画像信号を書き込む。赤目補正フラグが立っていたら所定の赤目補正（ステップＳ３１２）を行いメモリ３０に処理を終えた画像信号を書き込む。ここで赤目補正は、赤目の発生している瞳孔部の画像信号の赤の明度を下げる補正である。
【０１３９】
システム制御回路５０は、メモリ３０から画像信号を読み出し、メモリ制御回路２２を介して画像表示メモリ２４に表示画像信号の転送を行う（ステップＳ３１３）。
【０１４０】
一連の処理を終えたならば、撮影処理ルーチンステップＳ１２９を終了する。
【０１４１】
（記録処理フローについて）
図６は、図３のステップＳ１３７における記録処理の詳細なフローチャートを示す。
【０１４２】
システム制御回路５０は、メモリ制御回路２２そして必要に応じて画像処理回路２０を用いて、メモリ３０に書き込まれた撮影画像信号を読み出して撮像素子の縦横画素比率を１：１に補間する画素正方化処理を行った後（ステップＳ４０１）、メモリ３０に処理を終えた画像信号を書き込む。
【０１４３】
そして、メモリ３０に書き込まれた画像信号を読み出して、設定したモードに応じた画像圧縮処理を圧縮・伸長回路３２により行った後（ステップＳ４０２）、インターフェース９０或いは９４、コネクタ９２或いは９６を介して、メモリカードやコンパクトフラッシュ（Ｒ）カード等の記録媒体２００或いは２１０へ圧縮した画像信号の書き込みを行う（ステップＳ４０３）。
【０１４４】
記録媒体への書き込みが終わったならば、記録処理ルーチンステップＳ１３４を終了する。
【０１４５】
（前画像表示メモリを用いる場合）
以下、図面を参照して前画像表示メモリを用いる場合を説明する。
【０１４６】
（構成について）
図９は、構成を示す図である。
【０１４７】
図９の構成は、前述の赤目検出手段を用いる場合にて説明した図１の構成に準じており異なる構成のみ説明する。図９に於いて、図１に対して赤目検出２５が除かれている。それに対して、前画像表示メモリ２７が加えられている。前画像表示メモリ２７は画像表示に際して記憶している、画像表示メモリ２４で表示が終わった後の画像信号を記憶しておくメモリである。
【０１４８】
（動作フローについて）
前画像表示メモリを用いる場合には、赤目検出手段を用いる場合にて説明した図３のステップＳ１２５の赤目処理の詳細なフローチャート図７とシーケンスが異なる。前画像表示メモリを用いる場合の図３のステップＳ１２５の赤目処理の詳細なフローチャートを図８に示す。
【０１４９】
システム制御回路５０はストロボモードスイッチ６５によるストロボの設定状態が赤目緩和モードか読み出す。（ステップＳ６０１）この読みだし結果が赤目モードでなかったら、赤目シーケンスを終了して図３のステップＳ１２４に進む。読み出し結果が、赤目緩和モードであったら図３のステップＳ１２２で行った測光結果をもとに赤目緩和が必要な所定輝度以下か否かの判定する。（ステップＳ６０２）ここで所定輝度以上だったら、赤目シーケンスを終了して図３のステップＳ１２４に進む。
【０１５０】
所定輝度以下だったら、投光装置４９による投光を開始する。（ステップＳ６０３）そして投光開始後画像取り込みを行い撮像素子１２、Ａ／Ｄ変換器１６、画像処理回路２０、メモリ制御回路２２を介して、画像表示メモリ２４に書き込む。（ステップＳ６０４）そしてフリーズした画像表示を行う。（ステップＳ６０５）そして、画像表示メモリ２４に記録した信号を前画像表示メモリ２５にコピーする。（ステップＳ６０６）そして所定時間の計時を開始する（ステップＳ６０７）。
【０１５１】
所定時間の経過したか否か判定し（ステップＳ６０８）所定時間が経過したら、再び画像取り込みを行うとともに画像表示メモリ２４に書き込む。（ステップＳ６０９）そして画像表示メモリ２４の画像信号と前画像表示メモリ２５の画像信号を比較して赤目の発生の有り無しを判定する。（ステップＳ６１０）この画像信号の比較は、前画像表示メモリ２５に記憶している画像信号で赤目緩和投光の開始直後の最も瞳孔径の大きい状態と、赤目緩和投光の開始して所定時間経過してからの画像表示メモリ２４の画像信号を比較するものである。
【０１５２】
赤目緩和投光の開始して所定時間経過してからの瞳孔径は、赤目緩和投光により赤目緩和投光の開始直後の瞳孔径より縮小する。即ち、画像表示メモリ２４の画像信号と前画像表示メモリ２５の画像信号では、瞳孔径に差が生じているため画像信号に差が生じる。よって、その差が生じている画素が赤目の発生している部分と特定が出来る。
【０１５３】
具体的には、本実施の形態では赤目と赤目で無い場合では、瞳孔部の画像のＲＧＢ信号のＲ成分の明度に差を生ずる。
【０１５４】
よって画像信号の中のＲ成分の信号を比較することで赤目の発生を検出できる。またＲ成分のみの比較とすることにより、全画像成分（ＲＧＢ信号）で比較検出行うより高速に検出結果を出すことができる。
【０１５５】
以上赤目検出ステップＳ６１０で行った検出結果をもとに、赤目が検出されなかったら赤目シーケンスを終了して図３ステップＳ１２４に進む。また赤目が検出されたら、画像表示メモリ２４に記録した信号を前画像表示メモリ２５に書き換えを行う（ステップＳ６１１）。そして画像取り込みステップＳ６０９で取り込み画像メモリ２５に記憶している画像信号をもとに所定の画像表示を行う（ステップＳ６１２）。そして再度所定時間の計時を開始する（ステップＳ６１３）。所定時間の経過したか否か判定し（ステップＳ６１４）、所定時間が経過したら、再び画像取り込みを行う。画像表示メモリ２４に書き込む（ステップＳ６１５）。そして赤目が第１の所定の大きさより縮小したか否かの判定を行う。
【０１５６】
この判定基準としては、このまま撮影しても赤目の発生した写真の違和感が無い赤目の状態で、補正することにより更に好ましい瞳となる大きさである。
【０１５７】
例えば、虹彩に対して１／２程度の直径、或いは、赤目の直径４ｍｍ以下程度で、図１１に示す（ｂ）の大きさ程度である。虹彩の検出は、前述した赤目領域の検出結果から赤目の周囲の画像の特徴、白目部（明）：虹彩部（暗）から検出できる。
【０１５８】
また赤目の直径は、焦点距離と測距結果から予測できる。この判定で、赤目が第１の所定の大きさより縮小していたら、赤目が第２の所定の大きさより縮小したか否かの判定を行う（ステップＳ６１７）。
【０１５９】
また、赤目が第１の所定の大きさより大きい場合は、所定の回数画像取り込みを行ったかの判定を行う（ステップＳ６１９）。この所定回数は、赤目の緩和効果は、一般的に約１．２秒程度の時間があれば効果あるとされているので十分効果な効果が得られる時間、よってステップＳ６１４で設定されている時間を０．２秒程度として１０回程度である。２秒以内とする。この画像取り込みの所定回数判定で所定回数取り込んでいなかったらステップＳ６１１で画像表示メモリ２４に記録した信号を前画像表示メモリ２５に転送して、赤目の大きさ（量）が第１の所定の大きさより小さくなるまで前述のシーケンスを繰り返す。そして画像取り込みを所定の回数終了したら、赤目の画像補正を行うことを意味する、表示２を表示する。（ステップＳ６２１）この表示は、図１２に示す瞳マークを画像表示２８内に表示するもので、表示２ステップＳ６２１では、瞳マークを赤目画像補正有りとして黄色にして表示して、補正フラグ（ステップＳ６２１）を立て赤目シーケンスを終了する。
【０１６０】
また、赤目の大きさ（量）が第１の所定の大きさより小さくなったら、赤目の大きさ（量）が第１の所定の大きさより小さい、第２の所定の大きさより小さくなっているか、画像表示メモリ２４の信号をもとに判定する（ステップＳ６１７）。ここで赤目の大きさ（量）が第２の所定の大きさより大きい場合は、ステップＳＷ２の状態の検出を行う（ステップＳ６１８）。ここでＳＷ２のＯＮが検出されたらレリーズを優先させる。よって表示２（ステップＳ６２１）に進み補正フラグステップＳ６２２を立てて赤目シーケンスを終了する。またＳＷ２がＯＦＦだったら。所定回数の画像取り込み判定ステップＳ６１９に進み、赤目の大きさ（量）が第２の所定の大きさより小さくなるまで前述のシーケンスを繰り返す。
【０１６１】
また赤目の大きさ（量）が第２の所定の大きさより小さい場合は、撮影しても撮影画像に赤目が発生しない大きさなので、表示１（ステップＳ６２０）で瞳マークを赤目画像補正無しとして緑色にして表示して赤目シーケンスを終了する。
【０１６２】
このように、本発明によれば、投光装置４９による赤目緩和投光を行い、赤目緩和投光開始直後の画像と所定時間経過後の画像を比較することにより簡単な構成で赤目発生の検出が可能になる。
【０１６３】
なお、実施例の説明に於いては、赤目検出及び赤目緩和を行う投光は、投光装置４９はＬＥＤ或いはランプであるが、フラッシュ４８による所定時間間隔での発光により行うことも可能なことは言うまでも無い。また、投光装置４９がＬＥＤ或いはランプであっても、連続点灯による投光に限るものでは無く、間欠点灯でも良い。また間欠点灯により赤目検出を行う際の画像の取り込みは、前記フラッシュの発光のタイミング或いは、投光装置４９の点灯タイミングに合わせれば良い。
【０１６４】
また、赤目の量を判定する、第１の所定量、第２の所定量は、実施例中に第１の所定量は虹彩の１／２程度或いは、４ｍｍ程度、第２の所定量を虹彩の１／４程度或いは、２ｍｍ程度としたが、この判定レベルは、固定的な量でなく焦点距離或いは、被写体までの距離（測距距離）に応じて変更しても良い。
【０１６５】
また、赤目の緩和状態に応じて、赤目緩和効果が充分得られるように、投光装置の投光光の明るさを、明るく変化させても良い。
【０１６６】
また、所定時間を０．２秒程度、即ち画像の取り込みを０．２秒間隔としたが、この所定時間は０．２秒に限るものではなく、例えば発光可能なストロボの発光間隔や、画像信号の処理速度に応じて任意に設定すればよい。
【０１６７】
また、所定時間０．２秒として、所定回数１０回で、投光時間を２秒程度となるが、投光を行う光源の強度により赤目緩和効果も変化する。よってこの時間（所定回数）も２秒程度と限るものではない。
【０１６８】
以上の説明から容易に理解できるように、撮像素子と前記撮像素子の画像信号を記憶する記憶手段と、光を投光する投光手段と、前記投光手段によって発生する赤目量を前記画像信号をもとに検出する赤目量検出手段を有し前記、赤目量検出手段の赤目量が所定量以上ではレリーズを禁止し、所定量以下であったらレリーズを許可するようにしたことにより、赤目緩和効果が十分に得られた撮影を可能とする電子スチルカメラ提供することができる。
【０１６９】
また、撮像手段と、前記撮像素子からの画像信号を記憶する記憶手段と前記記憶されている画像信号を表示する表示手段と、光を投光する投光手段と、前記投光手段によって発生する赤目の位置を検出する赤目位置検出手段と、前記赤目位置検出手段の検出位置の所定領域の画像信号を拡大表示するようにしたことにより、赤目緩和効果を確認を行いながらの撮影を可能とする電子スチルカメラ提供することができる。
【０１７０】
また、赤目量がレリーズを許可する所定量以下で、第２の所定量以上の場合撮影された画像対して赤目補正を行うことにより、自然な赤目補正効果が得られる。
【０１７１】
また、連続点灯或いは、所定時間間隔発光する光源で行うことにより、直流点灯光源及びストロボの閃光光源光源で構成できる。
【０１７２】
また、投光手段が所定間隔で発光時、発光毎に画像取り込みを行うようにしたことにより、ストロボ閃光による間欠点灯で赤目検出を可能にした。
【０１７３】
また、投光手段を、撮影レンズ光軸からストロボ発光部の距離に対して同一距離或いは、短い距離に配置することにより、赤目の発生状態をストロボ発光時の発生状態より確実に発生させることができ、赤目検出確立が向上する。
【０１７４】
また、赤目量に応じて投光手段の明るさを経時的に変化させるようにしたことにより、効果的な赤目緩和効果が得られる。
【図面の簡単な説明】
【０１７５】
【図１】本実施例の構成ブロック図である。
【図２】本実施例の主ルーチンのフローチャートの一部である。
【図３】本実施例の主ルーチンのフローチャートの一部である。
【図４】本実施例の測距・測光ルーチンのフローチャートである。
【図５】本実施例の撮影ルーチンのフローチャートである。
【図６】本実施例の記録ルーチンのフローチャートである。
【図７】本実施例の第１の赤目ルーチンのフローチャートである。
【図８】本実施例の第２の赤目ルーチンのフローチャートである。
【図９】第２の構成ブロック図である。
【図１０】撮像装置の概観図である。
【図１１】赤目の発生状態を示した図である。
【図１２】撮像装置の赤目表示である。
【図１３】画像表示を説明するフローチャートである。
【符号の説明】
【０１７６】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２５  赤目検出
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
【図１】
2005039544.tif 000003
【図２】
2005039544.tif 000004
【図３】
2005039544.tif 000005
【図４】
2005039544.tif 000006
【図５】
2005039544.tif 000007
【図６】
2005039544.tif 000008
【図７】
2005039544.tif 000009
【図８】
2005039544.tif 000010
【図９】
2005039544.tif 000011
【図１０】
2005039544.tif 000012
【図１１】
2005039544.tif 000013
【図１２】
2005039544.tif 000014
【図１３】
2005039544.tif 000015